(57)【特許請求の範囲】
【請求項１】
原稿を載置するための原稿載置台と、
前記原稿載置台に置かれた原稿に光を照射する光源と、前記原稿に照射された光の反射光を受光して電気信号に変換し、画像データを出力する画像データ生成手段とを有する画像読取手段と、
一端を支軸に回動され前記原稿載置台を開閉し、当該原稿載置台が閉状態のときに前記原稿載置台に当接する面側に白色板を有する原稿押さえ板と、
前記原稿押さえ板の半開状態及び閉状態を検知する開閉検知手段と、
前記画像読取手段から出力された画像データを用いて前記原稿のサイズを検出するサイズ検出手段と、
前記画像読取手段から出力された画像データを用いて前記原稿の明度を判別する判別手段と、
前記開閉検知手段による検知結果が半開状態であるときに、前記画像読取手段に対して前記原稿の一部を読み取らせて画像データを出力させて前記判別手段に当該原稿の明度を判別させ、当該判別された明度が予め定められた明度より大きいときは、前記判別手段が判別に用いた画像データを用いて前記サイズ検出手段に当該原稿のサイズを検出させ、当該判別された明度が予め定められた明度以下であるときは、前記開閉検知手段による検知結果が閉状態であるときに再度前記画像読取手段に対して当該原稿の一部を読み取らせて画像データを出力させ、出力された画像データを用いて前記サイズ検出手段に当該原稿のサイズを検出させる制御手段と、
を備える画像読取装置。
【請求項２】
前記開閉検知手段は、
光路の遮断又は開放に応答して信号を出力するセンサと、
前記原稿押さえ板の開閉に連動して上下方向に往復移動し、前記往復移動における位置に応じて前記光路の遮断又は開放を行う遮断片とを有し、
前記センサが、前記原稿押さえ板が前記原稿載置台に当接したときに出力する所定の信号に基づいて、前記原稿押さえ板の閉状態を判別するものである請求項１に記載の画像読取装置。
【請求項３】
前記開閉検知手段は、閉状態を検知してから、閉状態が所定時間以上続いたときに、前記原稿抑え板が閉状態にあるとの検知結果を出すものである請求項２に記載の画像読取装置。
【請求項４】
請求項１〜３の何れか一項に記載の画像読取装置と
前記画像読取装置が取得した画像データに基づいて用紙に画像を形成する画像形成手段と、
を備えた画像形成装置。
【発明の詳細な説明】
【技術分野】
【０００１】
本発明は、原稿サイズを正確に検出する画像読取装置及び画像形成装置に関するものである。
【背景技術】
【０００２】
従来の画像読取装置における原稿サイズの検出方法は、原稿載置台に原稿がセットされて原稿押さえ板がユーザによって閉方向に移動されてから完全に閉じられるまでの間に原稿の一部を読み取って、読み取った画像から原稿のサイズを判別する方法が一般的である。特許文献１には、原稿がセットされてから原稿押さえ板が開方向から閉じた方向にある所定位置にきた時とその位置から所定時間経過した時の２回原稿サイズの検出行う画像読取装置について記載されている。
【先行技術文献】
【特許文献】
【０００３】
【特許文献１】特開２００７−１７４２２１号公報
【発明の概要】
【発明が解決しようとする課題】
【０００４】
しかし、ユーザによっては原稿押さえ板を所定位置まで移動してから再び開くという動作を行う可能性があり、特許文献１に記載された方法では原稿サイズの誤検出を引き起こす恐れがあった。また原稿押さえ板が半開状態の時に原稿サイズ検出を行うと、原稿の地色が黒や灰色の時は正確にサイズ検出できない場合もあった。
【０００５】
本発明は、上記の問題を解決するためになされたもので、原稿の地色にかかわらず原稿サイズを正確に検出する画像読取装置及び画像形成装置を提供することを目的とするものである。
【課題を解決するための手段】
【０００６】
請求項１に記載の発明の画像読取装置は、原稿を載置するための原稿載置台と、前記原稿載置台に置かれた原稿に光を照射する光源と、前記原稿に照射された光の反射光を受光して電気信号に変換し、画像データを出力する画像データ生成手段とを有する画像読取手段と、一端を支軸に回動され前記原稿載置台を開閉し、当該原稿載置台が閉状態のときに前記原稿載置台に当接する面側に白色板を有する原稿押さえ板と、前記原稿押さえ板の半開状態及び閉状態を検知する開閉検知手段と、前記画像読取手段から出力された画像データを用いて前記原稿のサイズを検出するサイズ検出手段と、前記画像読取手段から出力された画像データを用いて前記原稿の明度を判別する判別手段と、前記開閉検知手段による検知結果が半開状態であるときに、前記画像読取手段に対して前記原稿の一部を読み取らせて画像データを出力させて前記判別手段に当該原稿の明度を判別させ、当該判別された明度が予め定められた明度より大きいときは、前記判別手段が判別に用いた画像データを用いて前記サイズ検出手段に当該原稿のサイズを検出させ、当該判別された明度が予め定められた明度以下であるときは、前記開閉検知手段による検知結果が閉状態であるときに再度前記画像読取手段に対して当該原稿の一部を読み取らせて画像データを出力させ、出力された画像データを用いて前記サイズ検出手段に当該原稿のサイズを検出させる制御手段と、を備える。
請求項２に記載の発明は請求項１に記載の画像読取装置であって、前記開閉検知手段は、光路の遮断又は開放に応答して信号を出力するセンサと、前記原稿押さえ板の開閉に連動して上下方向に往復移動し、前記往復移動における位置に応じて前記光路の遮断又は開放を行う遮断片とを有し、前記センサが、前記原稿押さえ板が前記原稿載置台に当接したときに出力する所定の信号に基づいて、前記原稿押さえ板の閉状態を判別するものである。
請求項３に記載の発明は請求項２に記載の画像読取装置であって、前記開閉検知手段は、閉状態を検知してから、閉状態が所定時間以上続いたときに、前記原稿抑え板が閉状態にあるとの検知結果を出すものである。
【０００７】
原稿の明度が高いと、原稿の地色は白に近いことを示す。原稿の地色が白に近いと、原稿押さえ板が半開状態のときに読み取った画像でも画像中から原稿のエッジ部を検出しやすく原稿サイズを正確に判別することができる。しかし、原稿の明度が低いと、原稿の地色は灰色や黒であることを示す。原稿の地色が灰色や黒だと原稿押さえ板が半開状態のときに読み取った画像から原稿のエッジ部が検出しにくく、原稿サイズの誤検知を招く恐れがあった。
【０００８】
そこで、原稿押さえ板の半開状態と閉状態を検知可能とし、まずは半開状態のときに原稿の一部画像を読み取り、原稿の明度が予め定められた明度以下（灰色か黒に近い）場合は原稿押さえ板が閉じた状態のときに再度原稿の一部を読み取って、この画像を用いて原稿のサイズ検出を行うことによって、原稿押さえ板の原稿載置台に面した部分には白色板があるため、原稿の色が灰色や黒であっても原稿サイズを正確に検出することができる。
【００１３】
請求項４に記載の発明の画像形成装置は、請求項１〜３の何れか一項に記載の画像読取装置と前記画像読取装置が取得した画像データに基づいて用紙に画像を形成する画像形成手段と、を備えたものである。
【００１４】
この発明では、請求項１〜３と同様の効果を奏する。
【発明の効果】
【００１５】
この発明では、原稿押さえ板の半開状態と閉状態を検知可能とし、まずは半開状態のときに原稿の一部画像を読み取り、原稿の明度が予め定められた明度以下（灰色か黒に近い）場合は原稿押さえ板が閉じた状態のときに再度原稿の一部を読み取って、この画像を用いて原稿のサイズ検出を行うことによって、原稿の色が灰色や黒であっても原稿サイズを正確に検出することができる。また、原稿押さえ板が閉じる過程において２段階の半開状態を検知可能とすることで、各半開状態にて合計２回の原稿サイズの検出を行うことができるため、原稿サイズを正確に検出することができる。
【図面の簡単な説明】
【００１６】
【図１】画像読取装置の正面断面図。
【図２】第１の実施の形態における画像読取装置の側面断面図。
【図３】第１の実施の形態における画像読取装置の側面断面図。
【図４】第１の実施の形態における画像読取装置の側面断面図。
【図５】第１の実施の形態における検知信号の出力タイミング図。
【図６】画像読取装置の電気的構成を示すブロック図。
【図７】第１の実施の形態における画像読取装置の原稿サイズ検出処理の流れを説明するためのフローチャート。
【図８】第２の実施の形態における画像読取装置の側面断面図。
【図９】第２の実施の形態における原稿押さえ板が全開放状態から閉じる過程における開閉検知装置の状態を示した図。
【図１０】第２の実施の形態における検知信号の出力タイミング図。
【発明を実施するための形態】
【００１７】
以下、本発明に係る画像読取装置１の実施の形態を図面に基づいて説明する。尚、本実施の形態ではスキャナやファクシミリ等の画像読取装置を挙げて説明するが、本発明はこの画像読取装置を備えた画像形成装置（コピー機や複合機等）にも適用可能である。
【００１８】
〔第１の実施の形態〕
図１は画像読取装置１の概略を模式的に表す正面断面図であり、図２は画像読取装置１の側面断面図である。図１に示すように、画像読取装置１は、本体２と、その上面部に設けられた原稿押さえ板３とを備え、本体２の上面に原稿載置台５を備えている。原稿載置台５は透明ガラスで構成され、この透明ガラス表面に原稿Ｐが読取面が下になるように載置される。
【００１９】
原稿載置台５の下方であって、本体２の内側には、原稿読取部４が設けられている。原稿読取部４は、光源１１と、第１ミラー１２、第２ミラー２１、第３ミラー２２及びレンズユニット４０とを備えている。光源１１は原稿に光を照射し、原稿を反射した反射光を第１ミラー１２、第２ミラー２１及び第３ミラー２２がレンズユニット４０へ導く。
【００２０】
光源１１と、第１ミラー１２、第２ミラー２１及び第３ミラー２２は、原稿の副走査方向（矢印Ｙ方向）に往復移動が可能であり、原稿載置台５に置かれた原稿面全体の画像情報を読み取るべく移動する。
【００２１】
レンズユニット４０は、取り付け台４１の上部に、結像レンズ４２と、撮像素子であるＣＣＤ（Charge Coupled Device）４３を備えている。第３ミラー２２によって反射された反射光は、結像レンズ４２に入射する。そして、結像レンズ４２は、光路の下流側に設けられたＣＣＤ４３の表面上に、反射光を結像する。尚、ＣＣＤ４３は、ラインセンサであって、副走査方向と直角をなす原稿幅方向、即ち図１において紙面奥行き方向となる主走査方向に原稿面を走査して、その画像情報を得ることが可能である。
【００２２】
原稿押さえ板３は、前述のように本体２の上面部に設けられている。原稿押さえ板３は、本体２の上面をカバーする矩形の平板状の部材である。図２に示すように、原稿押さえ板３は、本体２背面側の一辺の箇所に備えた２箇所の支軸３ａを中心として、本体２の支持部材６に回動自在に取り付けられている。これにより、原稿押さえ板３は、画像読取装置１の正面側を自由端として、この正面側を上下に振るようにして垂直面内で回転し、原稿載置台５に対して開放、閉鎖両様の姿勢をとることができる。尚、図１及び２は、原稿押さえ板３を開放した状態を描いている。
【００２３】
原稿押さえ板３が閉じた状態の時に原稿載置台５に対向する面には、白色マット７が備えられている。白色マット７は、原稿載置台５をカバーする位置及び大きさをなしている。原稿押さえ板３を閉じた時には、この白色マット７が原稿載置台５に対してその全面を均一に押圧するようにして、原稿Ｐが移動しないように保持する。
【００２４】
図１及び２に示すように、原稿押さえ板３の２箇所の支軸３ａの中間箇所には、原稿押さえ板３の開閉検知装置５０が備えられている。開閉検知装置５０は、検知補助部材５１、センサ５２ａと５２ｂ、ばね５３、及びストッパ５４を備えている。
【００２５】
検知補助部材５１は、図２に示すように、上下方向に延びるスティック状の部材であって、上下方向に往復移動が可能にして備えられている。検知補助部材５１は、上側の先端に原稿押さえ板３が接触する接触部５１ａ、下側の先端にセンサ遮断片５１ｂを備えている。センサ遮断片５１ｂは、センサ５２ａ及び５２ｂに向かって突出した形状をなしている。
【００２６】
センサ５２ａ及びセンサ５２ｂは、例えばフォトインタラプタのような透過型光センサで構成され、発光部及び受光部（図示せず）を備え、発光部と受光部の光路の開放及び遮断に応じて検知信号を出力する。検知補助部材５１のセンサ遮断片５１ｂは、センサ５２ａの発光部と受光部との間の光路上を通過する配置となっており、センサ５２ａは原稿押さえ板３が全開状態より閉方向にある半開位置にあるときにセンサ遮断片５１ｂによって光路が遮断されるように設置される。そしてセンサ５２ｂは、原稿押さえ板３が閉じた状態にあるときにセンサ遮断片５１ｂによって光路が遮断されるように配置される。
【００２７】
ばね５３は、検知補助部材５１の下方に、本体２との間に設けられている。ばね５３は、検知補助部材５１を常時上方に付勢している。尚、開閉検知装置５０は、検知補助部材５１のセンサ遮断片５１ｂに対応した箇所の上方にストッパ５４を備えており、このストッパ５４にセンサ遮断片５１ｂが引っ掛かるため、検知補助部材５１がばね５３の弾発力によって上方に飛び出してしまうことはない。
【００２８】
図２〜５を用いて、原稿押さえ板３が全開放状態から閉じた状態に至る過程と、センサ５２ａ及び５２ｂから出力される検知信号について説明する。図３は、図２と同様の画像読取装置１の側面断面図であって、原稿押さえ板３が半開状態にあるときを示したもの、図４は原稿押さえ板３が完全に閉じた状態にあるときを示すものである。図５は、センサ５２ａ及び５２ｂから出力される検知信号の波形の一例を示したものであり、検知信号ａはセンサ５２ａから、検知信号ｂはセンサ５２ｂから出力される信号である。
【００２９】
原稿載置台５上に原稿を載置するとき、原稿押さえ板３は、図２に示すように開放された状態にある。この時、検知補助部材５１は、ばね５３によって上方に付勢されているもののストッパ５４により移動が阻止されており、センサ遮断片５１ｂはセンサ５２ａより上方にある。つまり、センサ５２ａの光路はセンサ遮断片５１ｂによって遮られておらず開放状態にあり、このときセンサ５２ａはＨレベルの検知信号ａを出力する。
【００３０】
続いて、ユーザが原稿押さえ板３を閉じ始めると、図３に示すように、原稿押さえ板３が接触部５１ａに接触して検知補助部材５１を押し下げる。これにより、検知補助部材５１が下方に移動し、センサ遮断片５１ｂがセンサ５２ａの光路を遮断し、検知信号ａはＬレベル（時間ｔ１１；半開状態）となる。
【００３１】
原稿押さえ板５が完全に閉じられると、図４に示すように、原稿押さえ板３が検知補助部材５１を更に押し下げる。これにより、センサ遮断片５１ｂがセンサ５２ｂの光路を遮断し、検知信号ｂはＬレベル（時間ｔ１２；閉鎖）となる。この検知信号ａ及びｂは後述する制御部に出力され、制御部が検知信号ａ及びｂの状態に応じて原稿読取部４に原稿の一部を読み取らせ、原稿サイズを検出する。
【００３２】
図６は、画像読取装置１の電気的構成を示すブロック図である。画像読取装置１は、制御部９１、記憶部９２、原稿読取部４、画像メモリ９３、画像処理部９４を備えて構成されている。尚、図１を用いて説明した構成要素と同じものには同符号を付して、説明を省略する。
【００３３】
記憶部９２は、画像読取装置１の備える種々の機能を実現するためのプログラムやデータ等を記憶する。画像メモリ９３は、原稿読取部４が読み取った画像を一時的に記憶する。画像処理部９４は、原稿読取部４を読み取った画像に対して補正や拡大・縮小等の画像処理を施す。
【００３４】
制御部９１は、ＣＰＵ（Central Processing Unit：中央処理装置）等によって構成され、記憶部９２に記憶されたプログラムを読み出して処理を実行し、各機能部への指示信号の出力、データ転送等を行って画像読取装置１を統括的に制御するものであり、原稿サイズ検出部９１１を有する。原稿サイズ検出部９１１は、原稿読取部４が読み取った画像を用いて原稿サイズを検出する。
【００３５】
図７は、画像読取装置１の原稿サイズ検出処理の流れを説明するためのフローチャートである。センサ５２ａが出力する検知信号ａがＨレベルになると、つまり原稿押さえ板３が図３に示すように第１半開状態になったとき（ステップＳ１１；ＹＥＳ）、制御部９１は原稿読取部４に対して１ライン分の画像を読み取らせる（ステップＳ１２）。
【００３６】
そして原稿サイズ検出部９１１は読み取った画像から原稿の明度を算出する（ステップＳ１３）。画像の明度の算出方法としては、どのようなサイズの原稿が置かれても必ず原稿が存在する位置（例えば原稿揃え位置）から所定画素数分の画像データの明度を平均し、その平均値を原稿の明度とする。
【００３７】
この原稿の明度が高いと、原稿の地色は白に近いことを示す。原稿の地色が白に近いと、原稿押さえ板３が半開状態のときに１ライン分の画像を読み取っても、画像中から原稿のエッジ部を検出しやすく原稿サイズを正確に判別することができる。しかし、原稿の明度が低いと、原稿の地色は灰色や黒であることを示す。原稿の地色が灰色や黒だと原稿押さえ板３が半開状態のときに読み取った画像から原稿のエッジ部が検出しにくく、原稿サイズの誤検知を招く恐れがあった。
【００３８】
そこで、原稿の明度が設定値以下であるときは、原稿押さえ板３が完全に閉じてから、再度原稿の１ライン分の画像を読み取り、この画像を用いて原稿サイズの検出を行う。原稿押さえ板３の原稿載置台５に面した部分は白色マット７があるため、原稿押さえ板３を完全に閉じて画像の読み取りを行うと、原稿が灰色や黒であっても画像中から原稿のエッジ部を検出しやすくなり原稿サイズを正確に判別することができる。
【００３９】
原稿の明度を判断する設定値は、画像読取装置１の工場出荷前に原稿読取部４の特性等に応じて設計者等によって予め設定された数値である。原稿の明度が設定値より大きい場合、つまり原稿の地色が白に近い場合（ステップＳ１４；ＮＯ）、原稿サイズ検出部９１１はステップＳ１２で読み取った１ライン分の画像用いて原稿サイズを検出する（ステップＳ１７）。
【００４０】
一方、原稿の明度が設定値以下の場合、つまり原稿の地色が灰色か黒の場合（ステップＳ１４；ＹＥＳ）、センサ５２ｂが出力する検知信号ｂがＨレベルになると、つまり原稿押さえ板３が図４に示すように閉じた状態になったとき（ステップＳ１５；ＹＥＳ）、制御部９１は原稿読取部４に対して１ライン分の画像を再度読み取らせ（ステップＳ１６）、原稿検出部９１１はこの１ライン分の画像を用いて原稿サイズを検出する（ステップＳ１７）。
【００４１】
以上、説明したように、原稿押さえ板３の半開状態と閉じた状態を検知可能とし、まずは半開状態のときに原稿から１ライン分の画像を読み取り、原稿の明度が灰色か黒に近い場合は原稿押さえ板３が閉じた状態のときに再度１ライン分の画像を読み取って、この画像を用いて原稿のサイズ検出を行うことによって、原稿の色が灰色や黒であっても原稿サイズを正確に検出することができる。
【００４２】
〔第２の実施の形態〕
第１の実施の形態では２つの光センサを用いて原稿サイズを検出する方法について説明したが、第２の実施の形態では、１つの光センサを用いた方法について説明する。尚、第２の実施の形態における画像読取装置１の正面断面図は、第１の実施の形態において図１を用いて説明した図と同様であるため、説明を省略する。図８は、第２の実施の形態における画像読取装置１の側面断面図である。第１の実施の形態において図２を用いて説明した図と同じ構成要素については同じ符号を付し、異なる部分のみ説明する。
【００４３】
本実施の形態における開閉検知装置５０は、検知補助部材５１、センサ５２、ばね５３、及びストッパ５４を備えている。検知補助部材５１は、上側の先端に原稿押さえ板３が接触する接触部５１ａ、センサ５２に向かって突出した形状をなしているセンサ遮断片５１ｃ及び５２ｄを備えている。センサ遮断片５１ｃ及び５１ｄは、センサ５２の発光部と受光部との間の光路上を通過する配置となっている。
【００４４】
図９は、原稿押さえ板３が全開放状態から閉じる過程における開閉検知装置５０の状態を示した図である。図１０は、センサ５２から出力される検知信号のタイミング図である。また本実施の形態における画像読取装置１の電気的構成を示すブロック図は第１の実施の形態の図６において示した図と同様であるため、説明を省略する。以下、図６、９及び１０を用いて画像読取装置１の原稿サイズの検出方法について説明する。
【００４５】
原稿載置台５上に原稿を載置するとき、原稿押さえ板３は開放された状態にある。この時、開閉検知装置５の検知補助部材５１は、図９（ａ）に示すように、ばね５３によって上方に付勢されているもののセンサ遮断片５１ｄがストッパ５４に掛かることによって移動が阻止されている。そして、センサ遮断片５１ｃはセンサ５２の光路を遮断しており、センサ５２ａはＬレベルの検知信号ｃを出力している。制御部９１は、検知信号ｃのＬレベルにある時間が所定時間以上続いたときは、原稿押さえ板３が全開放状態にあると判断する。
【００４６】
続いて、ユーザが原稿押さえ板３を閉じ始めると、原稿押さえ板３が接触部５１ａに接触して検知補助部材５１を押し下げるため、検知補助部材５１が下方に移動し、図９（ｂ）に示すように、センサ５２の光路を遮断していたセンサ遮断片５１ｃが下に移動する。従って、センサ５２の光路は開放状態となり、検知信号ｃはＨレベル（時間ｔ２１；第１半開状態）となる。このとき、制御部９１は、原稿読取部４に１ライン分の画像を読み取らせ、この画像を用いて原稿サイズ検出部９１１が１回目の原稿サイズ検出を行う。
【００４７】
更にユーザが原稿押さえ板３を閉じると、図９（ｃ）に示すように、次はセンサ遮断片５１ｄがセンサ５２の光路を遮断し、検知信号ｃはＬレベル（時間ｔ２２；第２半開状態）となる。このとき、制御部９１は原稿読取部４に１ライン分の画像を再度読み取らせ、この画像を用いて原稿サイズ検出部９１１が２回目の原稿サイズ検出を行う。そして原稿サイズ検出部９１１は、１回目及び２回目の原稿サイズ検出結果に基づいて、原稿サイズを決定する。
【００４８】
原稿押さえ板３が完全に閉じられると、図９（ｄ）に示すように、センサ遮断片５１ｄはセンサ５２の下方に移動する。従って、センサ５２の光路は開放状態となり、検知信号ｃはＨレベル（時間ｔ２３；閉鎖）となる。制御部９１は、検知信号ｃのＨレベルにある時間が所定時間以上続いたときは、原稿押さえ板が完全に閉じられた状態にあると判断する。
【００４９】
以上、説明したように、検知補助部材５１のセンサ遮断片を２つ設けることによって原稿押さえ板３が閉じる過程において２段階の半開状態を正確に判断することができる。そして各半開状態にて原稿の一部を読み取って合計２回の原稿サイズ検出を行うことによって原稿サイズを正確に検出することができる。また、特別な部材を加えることなく、センサ遮断片を２つ設けるだけという低コスト且つ省スペースで正確に原稿サイズを検出することができる。
【００５０】
尚、本実施の形態では、原稿サイズ検出を第１半開状態及び第２半開状態のときに行うとしたが、これは、原稿押さえ板３が完全に閉じる前に原稿サイズの検出を行うことによって、その後の画像読取処理に早く取りかかることができ、読取時間を短縮することができるためである。このような読取時間を考慮しなくてよい場合は、検出タイミングの組み合わせはこれに限らず、例えば第１半開状態と閉じた状態、又は第２半開状態と閉じた状態のときに行ってもよい。
【００５１】
〔第３の実施の形態〕
第１の実施の形態及び第２の実施の形態において説明した原稿サイズの検出方法を組み合わせた第３の実施の形態について説明する。尚、第３の実施の形態における画像読取装置１や開閉検知装置５０は、第２の実施の形態において図８及び９を用いて説明した図と同様である。また、画像読取装置１の電気的構成を示すブロック図は第１の実施の形態の図６において示した図と同様であるため、それぞれの説明を省略する。以下、図６、９及び１０を用いて本実施の形態における画像読取装置１の原稿サイズの検出方法について説明する。
【００５２】
ユーザが原稿押さえ板３を閉じ始めると、原稿押さえ板３が接触部５１ａに接触して検知補助部材５１を押し下げるため、検知補助部材５１が下方に移動し、図９（ｂ）に示すように、センサ５２の光路を遮断していたセンサ遮断片５１ｃが下に移動する。従って、センサ５２の光路は開放状態となり、検知信号ｃはＨレベル（時間ｔ２１；第１半開状態）となる。
【００５３】
このとき、制御部９１は原稿読取部４に１ライン分の画像を読み取らせ、この画像から原稿サイズ検出部９１１が原稿の明度を算出する。原稿の明度が設定値より大きい場合、つまり原稿の地色が白に近い場合、原稿サイズ検出部９１１は読み取った画像用いて原稿サイズを検出する。
【００５４】
更にユーザが原稿押さえ板３を閉じると、図９（ｃ）に示すように、次はセンサ遮断片５１ｄがセンサ５２の光路を遮断し、検知信号ｃはＬレベル（時間ｔ２２；第２半開状態）となる。第１半開状態時に読み取った画像から算出した原稿の明度が設定値以下の場合、つまり原稿の地色が灰色か黒の場合、この第２半開状態時に制御部９１は原稿読取部４に対して１ライン分の画像を再度読み取らせ、原稿検出部９１１はこの画像を用いて原稿サイズを決定する。
【符号の説明】
【００５５】
１      画像読取装置
１１    光源
２      本体
３      原稿押さえ板
４      原稿読取部（画像読取手段）
４３    ＣＣＤ（画像データ生成手段）
５      原稿載置台
５０    開閉検知装置（開閉検知手段）
５１    検知補助部材
５１ａ  接触部
５１ｂ、５１ｃ、５１ｄ  センサ遮断片（遮断片）
５２、５２ａ、５２ｂ    センサ
５３    ばね
５４    ストッパ
９１    制御部（制御手段）
９１１  原稿サイズ検出部（サイズ検出手段、判別手段）
９２    記憶部
９３    画像メモリ
９４    画像処理部
【図１】
0005574946.tif 000002
【図２】
0005574946.tif 000003
【図３】
0005574946.tif 000004
【図４】
0005574946.tif 000005
【図５】
0005574946.tif 000006
【図６】
0005574946.tif 000007
【図７】
0005574946.tif 000008
【図８】
0005574946.tif 000009
【図９】
0005574946.tif 000010
【図１０】
0005574946.tif 000011